(57)【要約】【課題】簡単に丈調節ができ、外観が美しく、製造も容易なズボンの股下調節構造を提供することを目的とする。【解決手段】ズボンの左右脚部を途中で上下に分断して、ズボン本体に一体の上脚部とズボン本体とは分離した下脚部とを形成し、ズボン本体に縫い付けた裏地の上脚部内側にのぞむ裏地筒状部を上脚部の下部内側とは遊離して設け、その裏地筒状部の下端開口縁に前記下脚部の上端開口縁を縫い合わせ、上脚部の下端開口内に下脚部の上部を挿入した状態で、上脚部と下脚部の間を連結具により長さ調節自在に連結する。【選択図】    図１
2004263352.tif 000002
【特許請求の範囲】
【請求項１】
ズボンの左右の脚部を途中で上下に分断してズボン本体に一体の上脚部とズボン本体とは分離した下脚部とを形成すると共に、
ズボン本体に縫い付けた裏地の上脚部内側にのぞむ裏地筒状部を上脚部の下部内側とは遊離して設け、その裏地筒状部の下端開口縁に前記下脚部の上端開口縁を縫い合わせ、
そして上脚部の下端開口内に下脚部の上部を挿入した状態で、上脚部と下脚部の間を連結具により長さ調節自在に連結することを特徴とするズボンの股下調節構造。
【請求項２】
前記上脚部の裏地筒状部の外側と下脚部の上部外側の間を連結具により長さ調節自在に連結することを特徴とする請求項第１項に記載のズボンの股下調節構造。
【請求項３】
前記上脚部の内側と下脚部の上部外側の間を連結具により長さ調節自在に連結することを特徴とする請求項第１項に記載のズボンの股下調節構造。
【請求項４】
前記上脚部の裏地筒状部に布テープを上下方向に縫い付け、該布テープと該下脚部の上部との間に着脱自在な連結具を取付けたことを特徴とする請求項第２項に記載のズボンの股下調節構造。
【請求項５】
前記上脚部の裏地筒状部の左右両側にそれぞれ布テープを縫い付け、該布テープと下脚部の上部との間に着脱自在な連結具を左右それぞれに取付けると共に、該布テープと上脚部の内側を連結布により連結したことを特徴とする請求項第４項に記載のズボンの股下調節構造。
【発明の詳細な説明】
【０００１】
【発明の属する技術分野】
本発明は、ズボンの股下の長さを自在に調節する発明で、特にレインウエア用のズボンに適した発明である。
【０００２】
【従来の技術】
ズボンの股下の長さが身体に合わないと、裾を引きずるなど都合が悪い。
通常は着る人に合わせて作るか、既製のズボンから適当なサイズを選択すれば足りるが、工事現場などでレインウエアを共同利用する場合には、股下の長さが違うズボンを何枚も備えておくのは経済的でないことから一般にサイズの種類が少なく、長すぎるときは裾を巻き上げて使用するほかなかった。
【０００３】
【発明が解決しようとする課題】
しかし裾を巻き上げても作業中に巻き解けたり、また巻き上げた裾に雨水が溜まったりして歩きずらいことが多い。本発明によれば、ズボンの股下の長さを自在に調節でき、裾を巻き上げなくても身体に合うようにできる。
本発明は、簡単に丈調節ができ、外観が美しく、製造も容易なズボンの股下調節構造を提供することを目的とする。
【０００４】
【課題を解決するための手段】
請求項１の発明は、ズボンの左右の脚部を途中で上下に分断してズボン本体に一体の上脚部とズボン本体とは分離した下脚部を形成する。ズボン本体に縫い付けた裏地の上脚部内側にのぞむ裏地筒状部を上脚部の下部内側とは遊離して設け、その裏地筒状部の下端開口縁に前記下脚部の上端開口縁を縫い合わせる。上脚部の下端開口内に下脚部の上部を挿入し、上脚部と下脚部の間を連結具により長さ調節自在に連結することを特徴とする。
請求項２の発明は、前記上脚部の裏地筒状部の外側と下脚部の上部外側の間を連結具により長さ調節自在に連結することを特徴とする。
請求項３の発明は、前記上脚部の内側と下脚部の上部外側の間を連結具により長さ調節自在に連結することを特徴とする。
請求項４の発明は、第２項の発明において、前記上脚部の裏地筒状部に布テープを上下方向に縫い付け、該布テープと該下脚部の上部との間に着脱自在な連結具を取付けたことを特徴とする。
請求項５の発明は、第４項の発明において、前記上脚部の裏地筒状部の左右両側にそれぞれ布テープを縫い付け、該布テープと該下脚部の上部との間に着脱自在な連結具を左右それぞれに取付けると共に、該布テープと上脚部の内側を連結布により連結したことを特徴とする。
【０００５】
【発明の実施形態】
本発明の実施の形態を、添付図面を参照して説明する。
図１から図７は、本発明の実施例である。１はズボン本体である。２は上脚部で、ズボン本体１と一体に形成する。３は下脚部で、ズボン本体１とは分離して形成する。４は裏地筒状部で、ズボン本体１に縫い付けた裏地の上脚部内側にのぞむ。裏地筒状部４は、上脚部２の下部内側とは遊離して設ける。裏地筒状部４の開口縁４０と下脚部３の上端開口縁３０とを縫い合せる。
上脚部２の下端開口２０内に、下脚部３の上部３１を挿入する。
５は連結具で、上脚部２と下脚部３を長さ調節自在に連結する。
上脚部２の裏地筒状部４の外側と下脚部３の上部３１外側の間を連結具５で連結する。
上脚部２の内側と下脚部３の上部３１外側の間を連結具５で連結する実施例については図示を省略した。
６は布テープで、裏地筒状部４に上下方向に縫い付け、布テープ６と下脚部３の上部３１との間を着脱式の連結具５で連結する。
布テープ６は、裏地筒状部４の左右両側にそれぞれ縫い付ける。７は連結布で、布テープ６と上脚部２の内側を連結する。
【０００６】
本発明実施例は、上記の通りに構成されているから、上下に分断したズボンの上脚部２と下脚部３を、連結具５により、簡単に長さ調節することができる。
上下分断したズボンは、裏地筒状部４の下端開口縁３０に下脚部３の下端開口縁４０を縫い合わせて連結するから、かさ張らない。
ズボンの上脚部２の下端開口２０内に下脚部３の上部３１を挿入したので、ズボンの上脚部２からは、上脚部２の裏地筒状部４と下脚部３の上部３１の間を連結具５でつないでいる様子は見えないから、外観が美しい。
上脚部２と下脚部３の間に連結具５を取付けることは簡単にできる。本発明のズボンは、安価に製造が可能であり、１本のズボンでいろいろな身長の人に兼用できるから経済的である。
【０００７】
連結具５は、図１から図７の実施例にある通り、係止具５１と固定具５２を組合せて取付けると良い。図示３個ずつの係止具５１と固定具５２では、ボタン全部を閉じる場合、或は２個ずつを閉じる場合の２通り、或は１個だけを閉じる場合の２通りなど、９通りのボタンの閉じ方ができる。係止具５１と固定具５２の組み合わせにより、ズボン丈に応じた細かい長さ調節が可能である。
【０００８】
図１から図４までは、係止具５１を上脚部２の裏地筒状部４に取付け、固定具５２を下脚部３の上部３１に取付けた実施例である。本実施例の係止具５１は、別布にボタン取付けした。
図１は、連結具５を開放した状態である。図２は係止具５１の一番下のボタンと固定具５２の一番上のボタンを閉じた実施例で、ズボン丈は変わらない。図３は、係止具５１の一番上のボタンと固定具５２の一番下のボタンを閉じた実施例で、ズボン丈が短くなっている。図４は、図３の断面図である。
【０００９】
図５から図７までは、係止具５１を下脚部３の上部３１に取付け、固定具５２を上脚部２の裏地筒状部４に取付けた別の実施例である。図５は、係止具５１と固定具５２を開放した実施例である。図６は、係止具５１の中央及び一番下のボタンに、固定具５２の一番上と中央のボタンを閉じた実施例で、ズボン丈が短くなっている。図７は、図６の断面図である。
図示していないが、上脚部２の裏地筒状布４は、そのまま下脚部３の裏地に延長しても良い。下脚部の裏地は特に付けなくても良いが、裏地を付けた方が、ズボンに入れた足の滑りは良い。
【００１０】
図示しないが、上脚部２の内側と下脚部３の上部３１の外側とを連結具５で連結する実施例の場合には、上脚部２の前身頃と後身頃の縫い合せ部の内側に係止具５１或は固定具５２の一方を取付けると、上脚部２に連結具５を縫い付けた際の縫目が響かず、具合が良い。
【００１１】
布テープ６は、上脚部２の裏地筒状部４の前身頃と後身頃の縫い合せ部外側に上下方向に縫い付ける。ズボンの両脇だけに付けても良いし、ズボンの左右両脚に２本ずつ縫い付けても良い。布テープ６を付けると、裏地筒状部４が補強されて、着脱式の連結具５で連結する際に、しっかり固定できる。
連結布７で布テープ６と上脚部２の内側を連結すると、上脚部２の内側とテープ６の取付け位置が固定されるから、連結具５が引きつれたりせず、安定して連結できる。
【００１２】
【発明の効果】
このように本発明によれば、ズボンの左右の脚部を上下に分断して、上脚部２の下端開口２０内に下脚部３の上部３１を挿入した状態で、上脚部２と下脚部３の間を連結具５で長さ調節するという構造にしたので、連結具５により、簡単にズボン丈の長さを調節することができるし、ズボンの上脚部２から連結具５は見えないから外観が美しいというすぐれた効果を有する。
【００１３】
請求項２の実施例の連結具５は、裏地筒状部４の外側と下脚部３の上部３１外側の間を連結し、請求項３の実施例の連結具５は、上脚部２の内側と下脚部３の上部３１外側の間を連結する。いずれの実施例の場合も、上脚部２と下脚部３の間に連結具５を取付けることは簡単にできる。本発明のズボンは、安価に製造が可能であり、１本のズボンでいろいろな身長の人が共同して着用できるから経済的であるという効果を有する。
【００１４】
請求項４及び５の実施例は、布テープ６を、裏地筒状部４に１本或は左右２本縫い付けたもので、簡単な構造で裏地筒状部４をしっかり補強できる。
請求項５の連結布７は、布テープ６と上脚部２の内側をつなぐから、取付け位置が固定され、連結具５が引きつれたりせず、安定して連結できる。
【図面の簡単な説明】
【図１】ズボン右上脚部を一部省略した本発明実施例の正面図である。
【図２】本発明実施例の脚部説明図である。
【図３】本発明実施例の使用状態を示す脚部説明図である。
【図４】本発明実施例の使用状態を示す断面図である。
【図５】本発明の別実施例の脚部説明図である。
【図６】本発明の別実施例の使用状態を示す脚部説明図である。
【図７】本発明の別実施例の使用状態を示す断面図である。
【符号の説明】
１    ズボン本体
２    上脚部
３    下脚部
４    裏地筒状部
５    連結具
６    布テープ
７    連結布
２０  上脚部の下端開口
３０  下脚部の上端開口縁
３１  下脚部の上部
４０  裏地筒状部の開口縁
５１  係止具
５２  固定具
【図１】
2004263352.tif 000003
【図２】
2004263352.tif 000004
【図３】
2004263352.tif 000005
【図４】
2004263352.tif 000006
【図５】
2004263352.tif 000007
【図６】
2004263352.tif 000008
【図７】
2004263352.tif 000009